(57)【特許請求の範囲】
【請求項１】
所定の形状及び大きさのポケット布を本体布の表面に当接し、前記ポケット布の底辺部及び該底辺部の両端から上方へ延びる両側辺部をそれぞれ縫製し、上方辺部を開放させてポケット口とし内部に所定大きさの空間を設けたポケットにおいて、
前記ポケット口は、前記上方辺部の所定長さ部分を前記空間内側へ折返し、該折返し片との間に第１のばね弾性プレートを介在させて少なくとも前記折返し片の下辺部を縫製し、一方、前記本体布表面には前記第１のばね弾性プレートと対向する領域に第２のばね弾性プレートを固定し、
前記第２のばね弾性プレートは、下端辺の端縁に、該端縁に沿って所定の幅長及び高さで突出させた突起部が形成されたものからなり、
前記第１と第２のばね弾性プレートとを対峙させて両ばねの弾性により前記ポケット口が塞がれていることを特徴とするポケット。
【請求項２】
前記第１、第２のばね弾性プレートは、衣服被着時に胸側へ当接する方向にアーチ状に湾曲されて前記折返し部乃至前記本体布表面に固定されていることを特徴するする請求項１に記載のポケット。
【請求項３】
前記第１、第２のばね弾性プレートは、合成樹脂材で形成されていることを特徴とする請求項１又は２に記載のポケット。
【請求項４】
前記第１、第２のばね弾性プレートは、形状記憶ポリマー材で形成されていることを特徴とする請求項１又は２に記載のポケット。
【発明の詳細な説明】
【技術分野】
【０００１】
本発明は、ポケットに係り、詳しくは、上方が開口したポケット口を有し、該ポケット口の構造を改良し、内部の小間物が滑り／飛出し／落下するのを抑制乃至防止する構造を有したポケットに関する。
【背景技術】
【０００２】
衣服、例えばワイシャツ、作業用上着、運動用上着などの衣服は、概ね胸部に上方が開口し、該開口をポケット口とし、内部に所定大きさの空間を有するポケットが設けられている。このようなポケットは、衣服を被着したときに、メガネ、携帯電話、各種カード（例えば、通勤用定期券）、最近ではスマートフォンなどの常時身に着け頻繁に使用する小間物を出し入れ自在に一時的に収納する収納部として利用されている。このポケットは小間物入れ収納部として、出し入れが自在で、頻繁に使用する小間物を手軽に一時的に保管・収納できるので大変便利である。
【０００３】
ところが、ポケットに収納したメガネやスマートフォンなど、特に比較的重量のあるスマートフォンなどの小間物を入れたときに、被着者の姿勢、例えば前屈みになったときなどに、外へ滑り／飛び出し、床などへ落下し、そのために破損ないし故障などの原因となり、一方でまた遺失することがある。特にスマートフォンを遺失すると、高価なものを失っただけでなく、多種多様なデーター等を記憶したアプリなどが搭載されているので、それらをも失って多大な損害を被ることがある。なお、ズボンポケットの場合、トイレ等で脱ぐときにも、同様に飛び出し、落下することがある。
【０００４】
このような状況から、ポケットに入れたメガネやスマートフォンなどの小間物が外へ飛び出し、落下し、遺失しないように、ポケット口の構造を工夫したポケット及び該ポケットを設けた衣服が開発されている。
【０００５】
例えば、各種衣服のうち、主に作業用上着などには、胸部にあって、上方を開口させ、この開口をポケット口とし、このポケット口を蓋布で塞ぎボタン留めしたポケットが設けられたものが広く知られている。このポケットによれば、ポケット口を蓋布で塞ぎボタン留めしているので、被着者が前屈みになっても、収納した小間物が飛び出すのを防止できる。
【０００６】
また、他の衣服、例えばシャツ類にあって紳士用ワイシャツは、そのポケット口の構造を工夫したものが開発され、多くの特許文献で紹介されている。
【０００７】
例えば、下記特許文献１（特開２００１−２０７３１８号公報）には、名称を「ポケット口の構造」とした発明が開示されており、このポケット口の構造は、衣服等のポケット用切込みに柔軟性を有するゴム又は合成樹脂からなるフランジ部を固定したものである。このポケット口の構造によれば、ポケット用切込みに柔軟性を有するゴム又は合成樹脂からなる部材を設け、この部材、すなわちゴムなどの部材の弾性力でポケット口が常時塞がれているので、収納物が滑り、飛出することがない。
【０００８】
また、下記特許文献２（特許第４１６２２５５号公報）には、名称を「ポケットの飛出し防止構造」とした発明が開示されている。このポケットの飛出し防止構造は一定の縦長さと横幅を持つ防止壁を上着本体に取付けたものである。
【０００９】
さらに、下記特許文献３（特開２０１０−０５９５９４号公報）には、名称を「飛出し防止構造体並びに上衣」とした発明が開示されており、この飛出し防止構造体は、胸ポケット内に仕切りとなる外壁と、その外壁上端に連接して被覆壁を持ち、その両壁間に横幅の一部を逆Ｖ字状に拡げる拡開部材を設けたものである。なお、この拡開部材はゴムや樹脂などの板状弾性体を折り曲げたもので形成されている。
【００１０】
さらにまた、下記特許文献４（特開２０１３−０１９０７９号公報）には、名称を「上着のパッチポケット」とした発明が開示され、この上着のパッチポケットは三角形の抑え布を表布の裏側に配置したものである。
【００１１】
さらにまた、下記特許文献５（特開２００９−００１９２３号公報）には、名称を「上着のポケット構造」とした発明が開示されている。この上着のポケット構造は、前身頃布の表側に、上方を開放部として表ポケット布を逢着することによって表ポケット部を形成し、この表ポケット部を形成する前身頃布の部分に開口部を設けるとともに、この開口部の、幅方向の両端部の少なくとも一方を高さ方向へ覆うように、伸縮性を有する縦帯布を前身頃布に逢着することによって携帯機器を出し入れする出し入れ開口部を形成し、前身頃布の裏側に、出し入れ開口部を囲うように裏ポケット袋布を逢着することによって裏ポケット部を形成したものである。すなわち、この上着のポケット構造は、表ポケットの裏側に裏ポケットを設けた、いわゆるポケットを二重構造にしたものである。
【００１２】
さらにまた、このような二重構造のポケットは、下記特許文献６（特許第６１８９０６９号公報）に外ポケットと補助ポケットとして開示されており、また下記特許文献７（特開２０１４−２０１８４０号公報）及び下記特許文献８（特開２００３−１１３５１７号）にも開示されている。
【００１３】
以上、上記特許文献１に記載のポケットは勿論のこと、他の特許文献２〜８に記載のポケット口構造及び二重構造のポケットによっても、内部の小間物が外へ滑り／飛び出すのを防止できるものが知られている。
【先行技術文献】
【特許文献】
【００１４】
【特許文献１】特開２００１−２０７３１８号公報
【特許文献２】特許第４１６２２５５号公報
【特許文献３】特開２０１０−０５９５９４号公報
【特許文献４】特開２０１３−０１９０７９号公報
【特許文献５】特開２００９−００１９２３号公報
【特許文献６】特許第６１８９０６９号公報
【特許文献７】特開２０１４−２０１８４０号公報
【特許文献８】特開２００３−１１３５１７号公報
【発明の概要】
【発明が解決しようとする課題】
【００１５】
しかし、上記従来技術において、作業用上着などのポケット口を蓋布で塞ぎ、ボタン留めするポケットは、所定の形状、蓋布及びボタンなどのパーツが複数必要となり、またこれらのパーツを衣服に取付ける作業に手間及び加工・作業費が掛かり、その結果、衣服のコスト高を招き、さらに、ポケットへの小間物の出し入れも、その都度、ボタンの外し乃至留めが必要となり、そのために出し入れが煩わしく、頻繁に出し入れするのには使用し難いポケットとなっている。
【００１６】
これに対して、上記特許文献１に開示されているポケット口の構造は、ポケット用切込みに柔軟性を有するゴム又は合成樹脂で形成した部材を取付け、このゴムなどの弾性力でポケット口が塞がれるので上記のボタン留め構造のポケットが抱える課題を解決できる。しかし、このポケット口の構造は、ポケット用切込み用の柔軟性部材が必要となり、これは特殊形状の専用部材になるので、部材コストが掛かり、衣服が高価になり、また、一般の紳士用のワイシャツなどに使用できるものでなく、強いて使用しようとすると元のポケットデザインを変更しなければならない。
【００１７】
また、上記特許文献２〜４に開示されている飛出し防止構造等のポケットは、いずれも特殊形状の部材、すなわち、防止壁、逆Ｖ字状に拡げる拡開部材及び三角形の抑え布などの特殊形状の専用部材を必要とするので、部材コストが掛かり、またそれらの取付け手間及び加工費等が掛かり、結果として衣服が高価になる。なお、拡逆Ｖ字状に拡げる開部材はゴムや樹脂などの板状弾性体を折り曲げて形成されているので、被着時に変形するおそれがあり、変形するとその機能を果たさなくなる。
【００１８】
また、上記特許文献５〜８に開示されている二重構造のポケットは、さらにまた、特殊形状の補助ポケット（裏ポケット）が必要となり、部材コストが掛かり、衣服が高価になるだけでなく、洗濯の際に内部のゴミなどを探し取り出すのが煩わしく、またアイロン掛けなどのメンテナンスも面倒になる。
【００１９】
そこで、本発明者らは、上記従来技術が抱える課題、特に蓋布や二重ポケット用などのパーツの数、それらを用いて加工する手間及び加工賃、デザイン、メンテナンス（洗濯、アイロン掛け）、使い勝手などの課題を解消し、如何にして滑り／飛出しを抑制ないし防止できるかを鋭意検討した。
【００２０】
その過程において、ポケット口を構成する開口の上辺部分は、元々内部空間の内側へ芯材が介在されて折返し縫製されているので、この折返し片部分間の芯材に代えてばね弾性プレートを介在させれば、ばね弾性プレートの弾性力でポケット口を塞ぐことができて、上記課題の解決、すなわち、パーツ数を極小にし、加工手間及び加工賃が殆ど掛らず、しかも、デザインを変更せずに元のデザインを維持し、洗濯時に特別な扱いをしなくてよく、アイロン掛けにも支障がなく、すなわちメンテナンスに支障なく円滑に行うことができ、またばね弾性プレートを形状記憶材で形成すればそれが変形しても簡単に元に復元させることが可能になり、結果、収納小間物の滑り飛出し、落下を抑制乃至防止できることに想到し、本発明を完成するに至ったものである。
【００２１】
すなわち、本発明は、上記従来技術のポケットが抱える課題を解決するためになされたものであって、本発明の目的は、既存のポケット口の形状を変えずに元々のデザインを維持し、パーツ数及び加工費を最小に抑え、収納乃至取り出しが簡単・容易にでき、その一方で収納した内部の小間物が滑り乃至飛出しを効果的に抑制乃至防止できるポケットを提供することにある。
【００２２】
また、本発明の他の目的は、上記の目的に加え、さらに滑り乃至飛出しを抑制乃至防止する部材が形状変形してもメンテナンス時に簡単に復元させて所望の作用を維持できるポケットを提供することにある。
【課題を解決するための手段】
【００２３】
上記目的を達成するために、本発明の第１の態様のポケットは、所定の形状及び大きさのポケット布を本体布の表面に当接し、前記ポケット布の底辺部及び該底辺部の両端から上方へ延びる両側辺部をそれぞれ縫製し、上方辺部を開放させてポケット口とし内部に所定大きさの空間を設けたポケットにおいて、
前記ポケット口は、前記上方辺部の所定長さ部分を前記空間内側へ折返し、該折返し片との間に第１のばね弾性プレートを介在させて少なくとも前記折返し片の下辺部を縫製し、一方、前記本体布表面には前記第１のばね弾性プレートと対向する領域に第２のばね弾性プレートを固定し、
前記第２のばね弾性プレートは、下端辺の端縁に、該端縁に沿って所定の幅長及び高さで突出させた突起部が形成されたものからなり、
前記第１と第２のばね弾性プレートとを対峙させて両ばねの弾性により前記ポケット口が塞がれていることを特徴とする。
【００２４】
本発明の第２の態様のポケットは、第１の態様のポケットにおいて、前記第１、第２のばね弾性プレートは、衣服被着時に胸側へ当接する方向にアーチ状に湾曲されて前記折返し部乃至前記本体布表面に固定されていることを特徴とする。
【００２６】
本発明の第３の態様のポケットは、第１又は２のいずれかの態様のポケットにおいて、前記第１、第２のばね弾性プレートは、合成樹脂材で形成されていることを特徴とする。
【００２７】
本発明の第４の態様のポケットは、第１又は２のいずれかの態様のポケットにおいて、前記第１、第２のばね弾性プレートは、形状記憶ポリマー材で形成されていることを特徴とする。
【発明の効果】
【００２８】
本発明の第１の態様のポケットによれば、従来技術が抱える課題、すなわち蓋布や二重ポケット用などの布パーツの数、それらを用いて加工する手間及び加工賃、デザイン、メンテナンス（洗濯、アイロン掛け）、使い勝手などの課題を解決、すなわち、パーツ数を極小にし、加工手間及び加工賃が殆ど掛らず、しかも、デザイン変更せずに元のデザインを維持し、メンテナンス（洗濯、アイロン掛け）に支障がなく円滑に行い、収納した小間物の滑り飛出し、落下を抑制ないし防止できる。また、突起部を設けた分、さらにストッパー機能が増大し、収納した小間物の滑り／飛出しをより効果的に抑制乃至防止できる。
【００２９】
本発明の第２の態様のポケットによれば、第１、第２のばね弾性プレートは衣服被着時に胸側へ当接する方向にアーチ状に湾曲されているので、該アーチ状の湾曲により該部分がストッパーとして機能し、収納した小間物の滑り／飛出しをより効果的に抑制乃至防止できる。
【００３１】
本発明の第３の態様のポケットによれば、第１、第２のばね弾性プレートは合成樹脂材で形成されているので、簡単に安価に入手でき、且つ、任意の形状に形成可能になることから加工手間及び加工賃が殆ど掛らず、しかも、デザイン変更せずに元のデザインを維持し、メンテナンスに支障がなく円滑に行い、収納した小間物の滑り飛出し、落下を抑制ないし防止できる。
【００３２】
本発明の第４の態様のポケットによれば、さらに滑り乃至飛出しを抑制乃至防止する部材が形状変形してもメンテナンス時に簡単に復元させて所望の作用を維持できる。
【図面の簡単な説明】
【００３３】
【図１】図１は本発明の比較例及び実施形態１〜３に共通するポケット及び該ポケットを設けた衣服を示し、図１Ａは衣服の正面図、図１Ｂは図１Ａのポケット部分の拡大正面図である。
【図２】図２は本発明の比較例に係るポケットを示し、図２Ａは図１ＢのＹ−Ｙ線の断面図、図２Ｂは図２Ａに示した一方のばね弾性プレートの正面図、図２Ｃは他方のばね弾性プレートの正面図である。
【図３】図３は図２Ｂ、図２Ｃに示したばね弾性プレートの変形例の正面図である。
【図４】図４は本発明の実施形態１に係るポケットを示し、図４Ａは図１ＢのＹ−Ｙ線の断面図、図４Ｂは図４Ａに示した一方のばね弾性プレートの正面図、図４Ｃは他方のばね弾性プレートの正面図、図４Ｄは図４Ｃの側面図である。
【図５】図５は図４Ｂ、図４Ｃに示したばね弾性プレートの変形例を示した正面図／側面図である。
【図６】図６は本発明の実施形態２に係るポケットを示し、図６Ａは図１ＢのＹ−Ｙ線の断面図、図６Ｂは図６Ａに示した一方のばね弾性プレートの正面図、図６Ｃは他方のばね弾性プレートの正面図、図６Ｄは図６Ｃの側面図である。
【図７】図７は図６に示したばね弾性プレートの変形例の正面図である。
【図８】図８は本発明の実施形態３に係るポケットを示し、図８Ａは図１ＢのＹ−Ｙ線の断面図、図８Ｂは図８Ａに示した一方のばね弾性プレートの正面図、図８Ｃは他方のばね弾性プレートの正面図、図８Ｄは図８Ｃの側面図である。
【図９】図９は図８に示したばね弾性プレートの変形例の正面図／側面図である。
【発明を実施するための形態】
【００３４】
以下、図面を参照して、本発明の実施形態に係るポケットを説明する。但し、以下に示す実施形態は本発明の技術思想を具体化するためのポケットを例示するものであって、本発明をこれに特定することを意図するものではなく、特許請求の範囲に含まれるその他の実施形態のものにも等しく適応し得るものである。
【００３５】
（比較例）
まず、図１、図２を参照して、本発明の比較例に係るポケットの概要を説明する。なお、図１は本発明の比較例及び実施形態１〜３に共通するポケット及び該ポケットを設けた衣服を示し、図１Ａは衣服の正面図、図１Ｂは図１Ａのポケット部分の拡大正面図である。図２は本発明の比較例に係るポケットを示し、図２Ａは図１ＢのＹ−Ｙ線の断面図、図２Ｂは図２Ａに示した一方のばね弾性プレート正面図、図２Ｃは他方のばね弾性プレートの正面図である。
【００３６】
本発明の比較例に係るポケット１２は、ワイシャツ、作業用上着、運動用上着などの衣服（以下、総称して衣服という）１０に設けるものであって、この実施形態では、各種ワイシャツ／上着のうち、紳士用ワイシャツ（以下、単にシャツという）を例にして説明する。なお、本発明は上記衣服ポケットに限定するものでなく、他のもの、例えばズボン、バック、各種袋体などの袋口にも適用し得るものである。
【００３７】
シャツ１０は、図１Ａに示したように、長袖シャツであって、胸部に上方が開口し、この開口をポケット口としたポケット１２を設け、衣服被着時に、ポケット口から内部へ、メガネ、各種カード、携帯電話、スマートフォンなどの小間物を出し入れ自在に収納するようになっている。なお、このようなシャツは、一般のサラリーマンなどが日常着として被着し、古から使用されているタイプのものであり、周知であるので詳細な構成の説明を省略する。
【００３８】
このポケット１２は、所定の形状及び大きさのポケット布１２０を衣服の本体布１１の表面に当接し、このポケット布の底辺部１２ａ及びこの底辺部の両端か上方へ延びる両側辺部１２ｂ、１２ｃをそれぞれ縫製（なお、符号１２ａ’〜１２ｃ’は縫製部分を示している）し、上方の辺部１２ｄ（図２Ａ参照、以下同じ）を非縫製で開放させた開口部１２１とし内部に所定大きさの空間１２２が形成されている。なお、開口部１２１はポケット口となっている。
【００３９】
上方の開口部１２１は、図２Ａに示したように、上辺部を所定長さ部分空間１２２内へ折返し（符号１２ｄ１は折返し部を示している）、この折返し部で折り返した折返し片１２ｄ２との間に第１のばね弾性プレート１３を介在せて周囲が縫製（符号１２ｄ’は縫製箇所を示している）されている。なお、折返し部には元々芯材が介在されているので、これに代えて該ばね弾性プレート１３を設けたことになる。一方、衣服布１１の表面には、第１のばね弾性プレート１３と対向する領域に第２のばね弾性プレート１４が固定されている。そして、第１、第２のばね弾性プレート１３、１４は、互いに対接し常時ポケット口をそれらの弾性力により塞いでいる。
【００４０】
この構成のポケットによれば、上記従来技術が抱える課題、蓋布や二重ポケット用などの布パーツの数、それらを用いて加工する手間及び加工賃、デザイン、メンテナンス（洗濯、アイロン掛け）、使い勝手などの課題を解決、すなわち、パーツ数を極小にし、加工手間及び加工賃が殆ど掛らず、しかも、デザイン変更せずに元のデザインを維持し、メンテナンス（洗濯、アイロン掛け）に支障がなく円滑に行い、収納した小間物の滑り飛出し、落下を抑制ないし防止できる。例えば、ポケット口を構成する開口の上辺部分は、元々内部空間の内側へ芯材を介在させ折返して縫製されており、この折返し片部分間の芯材に代えてばね弾性プレートを介在させるので、加工手間賃が追加されることがない。
【００４１】
以下、図１、図２を参照して、このポケット１２の細部構成を詳述すると共に、他の特長をも明らかにする。なお、シャツ１０は、紳士用ワイシャツであり一般のサラリーマンなどが日常着として被着し、古から使用されているタイプのものであり、周知であるので詳細な構成の説明を省略し、これに取付ける第１、第２のばね弾性プレート１３、１４を説明する。
【００４２】
まず、第１のばね弾性プレート１３は、図２Ｂに示したように、所定長さの下辺１３ａ、この下辺の両端か上方へ所定高さ延びる左右側辺１３ｂ、１３ｃ、及び上辺１３ｄ並びに所定の肉厚を有する長方形状のプレートからなり、湾曲可能な弾性を有し、すなわち柔軟性を有する合成樹脂材（プラスチック材）で形成されている。このプラスチック材は、汎用のプラスチックで熱可塑性樹脂製のもの、例えばポリエチレン、ポリプロピレン、ポリ塩化ビニル、ポリスチレンなどである。
【００４３】
このプレート１３の寸法は特定のものに限定するものでなく任意でよいが、例えば、厚さは１．０ｍｍ前後であって、下辺１３ａ、左右側辺１３ｂ、１３ｃ及び上辺１３ｄの長さは芯材の各長さと同じにするのが好ましい。この寸法にすれば既成シャツなどの芯材に代替するだけで形成可能になる。
【００４４】
また、この第１のばね弾性プレート１３は折返し片１２ｄ２との間に介在せて周囲を縫製するので、折返し片１２ｄ２の長さ（幅長）に合わせた寸法にすれば、該縫製は該ばね弾性プレートの取付けに兼用できる。これによれば、折返し片は、元々、既存ポケットに設けてあるので、これを利用してばね弾性プレートを取付けでき、取付けコストが掛からない。
【００４５】
次に、第２のばね弾性プレート１４は、図２Ｃに示したように、第１のばね弾性プレート１３と同じ、横方向に所定の幅長、縦方向に所定の高さ及び所定の肉厚を有する長方形状プレート、すなわち、所定長さの下辺１４ａ、この下辺の両端から上方へ所定高さ延びる左右側辺１４ｂ、１４ｃ、及び上辺１４ｄ並びに所定の肉厚を有する長方形状プレートからなり、湾曲可能で弾性を有し、すなわち柔軟性を有する合成樹脂材で形成されている。裏面が固定面となっている。なお、第２のばね弾性プレート１４の大きさは第１のばね弾性プレート１３と異ならせてもよい。
【００４６】
この第２のばね弾性プレート１４は、衣服布（本体布）１１の表面にあって、第１のばね弾性プレート１３と対向する位置に固定される。第２のばね弾性プレート１４が衣服布１１の表面に固定されると、この弾性プレートの面はポケット口にあって小間物を入れるときの滑り面となる。
【００４７】
これらの第１、第２のばね弾性プレート１３、１４は、まず、第２のばね弾性プレート１４を衣服布１１の表面の所定位置に固定し、次いで、ポケット布１２０を第１のばね弾性プレート１３が第２のばね弾性プレート１４と対向させて衣服布１１に縫製乃至接着剤により固定する。これにより、第１、第２のばね弾性プレート１３、１４は、互いに対接し常時ポケット口がそれらの弾性力により塞がれる。
【００４８】
このポケットへのスマートフォンなどの小間物の収納は、ポケット口が第１、第２のばね弾性プレート１３、１４の弾性力で塞がれているので、この塞がれたポケット口を指で拡げ、その隙間から小間物を入れる。この際、ばね弾性力は強くなく、簡単に接離拡口でき、また第２のばね弾性プレート１４の表面は露出しているのですべり面として利用でき、スムーズに押し込み・収納できる。小間物が収納されると、ポケット口は再び塞がれ、小間物が内部から滑り／飛び出しを抑制乃至防止できる。
【００４９】
また、ポケット口が塞がれると、第１、第２のばね弾性プレートの各下辺の厚みで段差が形成され、この段差が小間物の滑り／飛び出しをストップさせるストッパーとなる。この段差は、また、ポケット口が若干開き、すなわち第１、第２のばね弾性プレートの両下辺部間に隙間が空いた時にも、ストッパーとしての機能を果たし、小間物の滑り／飛び出しを抑制乃至防止できる。また、取り出しは、ポケット口の対接部分を指で拡げ、その隙間から小間物を簡単に取り出すことがでる。
【００５０】
以上説明したように、この構成のポケット及びこのポケットを設けた衣服によれば、従来技術が抱える課題、蓋布や二重ポケット用などの布パーツの数、それらを用いて加工する手間及び加工賃、デザイン、メンテナンス（洗濯、アイロン掛け）、使い勝手などの課題を解決、すなわち、パーツ数を極小にし、加工手間賃及び加工賃が殆ど掛らず、衣服の価格アップを回避でき、しかも、デザイン変更せずに元のデザインを保持し、メンテナンス（洗濯、アイロン掛け）に支障がなく円滑に行い、収納した小間物の滑り飛出し、落下を抑制ないし防止できる。
【００５１】
なお、上記第１、第２の弾性プレート１３、１４は、いずれも平坦状のものであるが、これに限定するものでなく、他の形状、例えば、山形、波形或いはアーチなどでもよい。また、これらの形状は、元々のポケットの形状を変更するものでなく、また、小間物の出し入れに支障を来すことがない形状にするのが好ましい。
【００５２】
図３を参照して、上記第１、第２のばね弾性プレート１３、１４の変形例を説明する。なお、図３は図２Ｂ、図２Ｃに示したばね弾性プレートの変形例の正面図である。
【００５３】
変形例の第１、第２のばね弾性プレート１３’、１４’は、いずれも所定の方向、すなわち、衣服被着時に胸側へ当接する方向に所定の湾曲度（カーブ）で湾曲させた形状にしたものであって、プラスチック材で形成されている。第１のばね弾性プレート１３’は胸側へ略当接するように湾曲、例えば三日月状乃至それに似た形状に湾曲（カーブ）させ、第２のばね弾性プレート１４’も同じ形状に湾曲させた形状に形成されている。湾曲（カーブ）は身体の体型に合わせた曲線状にするのが好ましい。これらの第１、第２のばね弾性プレート１３’、１４’は、いずれも、上記第１、第２のばね弾性プレート１３、１４と同様の方法でポケット布及び衣服に取付けられる。
【００５４】
これらの第１、第２のばね弾性プレート１３’、１４’を設けたポケットによれば、第１、第２のばね弾性プレート１３’、１４’はいずれも所定湾曲度で湾曲されているので、両ばね弾性プレート１３’、１４’の各底辺１３ａ、１４ｂも湾曲され、この湾曲と上記段差とにより、小間物の滑り／飛出しをより効果的に抑制乃至防止できる。なお、湾曲形状は、三日月状乃至それに似た形状に限定するものでなく、他のカーブを描く形状のものに形状に変更してもよい。
【００５５】
（実施形態１）
図１、図４及び図５を参照して、本発明の実施形態１に係るポケット及び該ポケットを設けた衣服並びにそれらの変形例を説明する。なお、図４は本発明の実施形態１に係るポケットを示し、図４Ａは図１ＢのＹ−Ｙ線の断面図、図４Ｂは図４Ａに示した一方のばね弾性プレート正面図、図４Ｃは他方のばね弾性プレートの正面図、図４Ｄは図４Ｃの側面図、図５は図４のばね弾性プレートの変形例を示した正面図／側面図である。
【００５６】
本発明の実施形態１に係るポケット及び衣服は、比較例のものとはポケットを構成する第２のばね弾性プレートの構成が異なっている。以下の説明では共通の構成の説明は省略し、異なる構成を説明する。
【００５７】
実施形態１に係るポケット１２Ａは、比較例の第１、第２のばね弾性プレートのうち、第１のばね弾性プレート１３Ａの構成は同じであるが、第２のばね弾性プレート１４Ａの構成が比較例の第２のばね弾性プレート１４とは異なっている。
【００５８】
すなわち、第２のばね弾性プレート１４Ａは、図４Ａ、図４Ｃ及び図４Ｄに示したように、所定長さの下辺１４ａと、この下辺の両端から上方へ所定高さ延びる左右側辺１４ｂ、１４ｃと、及び上辺１４ｄとを有し、所定の肉厚を有する長方形状プレートからなり、各辺のうち、下辺１４ａが、その端縁部分を、該下辺に沿って、所定の方向、すなわち、該ばね弾性プレート１４Ａを衣服布１１へ固定する面と反対方向へ所定長さ曲げて、所定高さの折曲片１５を形成し、柔軟性／弾性を有する合成樹脂材で形成されている。
【００５９】
この折曲片１５は側面からみると、図４Ｄに示したように、所定高さで突起させた突起部となっている。突起部（折曲片）の高さは、先端部をポケット布１２０に接近乃至接触させ、折返し片１２ｄ２とばね弾性プレート１４Ａ間の隙間ができない高さにするのが好ましい。これらの第１、第２のばね弾性プレート１３Ａ、１４Ａは、いずれも上記第１、第２のばね弾性プレート１３、１４と同様の方法でポケット布及び衣服に取付けられる。
【００６０】
この構成のポケット１２Ａによれば、第１、第２のばね弾性プレート１３Ａ、１４Ａとの対接部分において、第２のばね弾性プレート１４Ａの下辺部は、プレート厚プラス折曲片（突起部）１５の高さ、さらに第１ばね弾性プレート１３Ａの厚さ（段差）とにより、これらで構成するストパー部分が広くなり、比較例のポケットに比べて、収納した小間物の滑り／飛出しの際のストッパーとしての機能がアップし、抑制乃至防止をより効果的になる。
【００６１】
また、これらの第１、第２のばね弾性プレート１３Ａ、１４Ａは、比較例の変形例の第１、第２のばね弾性プレート１３’、１４’のように、湾曲させてもよい。すなわち、図５に示した実施形態２の変形例は、第１、第２のばね弾性プレート１３Ａ’、１４Ａ’を比較例のばね弾性プレート１３’、１４’のように湾曲させたものである。すなわち同図に示したように、第２のばね弾性プレート１４Ａは、所定長さの底辺部１４ａ、この底辺部の両端から上方へ所定高さ延びる両側辺部１４ｂ、１４ｃ、及び上辺部１４ｄ並びに所定の肉厚を有する長方形状プレートからなり、各辺部のうち、底辺部１４ａの端縁に、該辺部に沿って所定の幅長及び高さで突起させた突起部１５を形成した構成を有する。
【００６２】
これらの第１、第２のばね弾性プレート１３Ａ’、１４Ａ’は、いずれも、上記第１、第２のばね弾性プレート１３、１４と同様の方法でポケット布及び衣服に取付ける。この構成により、このポケット１２Ａ及び衣服は、比較例の変形例のものより、折曲片（突起部）を設けた分及び湾曲により、さらに収納した小間物の滑り／飛出しの際のストッパーとしての機能がアップし、抑制乃至防止をより効果的になる。
【００６３】
（実施形態２）
図１、図６及び図７を参照して、本発明の実施形態２に係るポケット及び該ポケットを設けた衣服並びにそれらの変形例を説明する。なお、図６は本発明の実施形態２に係るポケットを示し、図６Ａは図１ＢのＹ−Ｙ線の断面図、図６Ｂは図６Ａに示した一方のばね弾性プレート正面図、図６Ｃは他方のばね弾性プレートの正面図、図７は図６に示したばね弾性プレートの変形例の正面図である。
【００６４】
本発明の実施形態２に係るポケット１２Ｂは、比較例のポケット及び衣服と共通の構成を有するが、第１、第２のばね弾性プレートを構成する材料が異なっている。以下の説明では共通の構成の説明は省略し、異なる構成を説明する。
【００６５】
すなわち、実施形態２に係るポケット１２Ｂは、比較例の第１、第２のばね弾性プレートの素材をプラスチックに代えて形状記憶ポリマーで形成したものである。第１、第２のばね弾性プレート１３Ｂ、１４Ｂは、図６Ｂ、図６Ｃに示したように、まず、第１のばね弾性プレート１３Ｂは、所定長さの底辺１３ａ、この底辺の両端から上方へ所定高さ延びる左右側辺１３ｂ、１３ｃ、及び上辺１３ｄを有し所定の肉厚を有する長方形状プレートからなり、また、第２のばね弾性プレート１４Ｂは所定長さの底辺１４ａ、この底辺の両端から上方へ所定高さ延びる左右側辺１４ｂ、１４ｃ、及び上辺１４ｄを有し所定の肉厚を有する長方形状プレートからなり、これらの弾性プレートは、いずれも形状記憶ポリマーで形成されている。
【００６６】
この形状記憶ポリマーは、熱可塑性、弾性体（弾性変形）及びゴム弾性などの特性を有し、成形が容易、変形が容易、変形が固定でき、回復温度をもち、さらに、回復が容易なもので、ポリウレタン系、ポリノルポルネン及びトランスポリイソプレンなどがある。なお、形状記憶ポリマーは既に公知のものであり、この実施形態ではこれらの特性を備えたプレートを使用する。
【００６７】
この構成によれば、第１、第２のばね弾性プレートは、いずれも形状記憶材で形成されているので、それらを所定の形状にすることによって、それらが変形しても簡単に元に復元させることが可能になり、ストッパーとしての機能を維持し、収納した小間物の滑り／飛出しの際の抑制乃至防止がより効果的になる。
【００６８】
また、これらの第１、第２のばね弾性プレート１３Ｂ、１４Ｂも、比較例の変形例の第１、第２のばね弾性プレート１３’、１４’のように、湾曲させてもよい。すなわち、図７Ａ、７Ｂに示した実施形態２の変形例における第１、第２のばね弾性プレート１３Ｂ’、１４Ｂ’は、いずれも所定の方向、すなわち、衣服被着時に胸側へ当接する方向に所定の湾曲度（カーブ）で湾曲させた形状にしたものである。
【００６９】
（実施形態３）
図１、図８及び図９を参照して、本発明の実施形態３に係るポケット及び該ポケットを設けた衣服並びにそれらの変形例を説明する。なお、図８は本発明の実施形態３に係るポケットを示し、図８Ａは図１ＢのＹ−Ｙ線の断面図、図８Ｂは図８Ａに示した一方のばね弾性プレート正面図、図８Ｃは他方のばね弾性プレートの正面図、図８Ｄは図８Ｂの側面図、図９は図８のばね弾性プレートの変形例の正面図／側面図である。
【００７０】
本発明の実施形態３に係るポケット及び衣服は、実施形態２のそれらとポケットを構成する第２のばね弾性プレートが異なっている。以下の説明では共通の構成の説明は省略し、異なる構成を説明する。
【００７１】
すなわち、実施形態３に係るポケット１２Ｃは、実施形態２の第１、第２のばね弾性プレートのうち、第１のばね弾性プレート１３Ｃの構成は同じであるが、第２のばね弾性プレート１４Ｃが実施形態２の第２のばね弾性プレート１４Ｂと構成が異なっている。
【００７２】
すなわち、実施形態３における第２のばね弾性プレート１４Ｃは、図８Ａ、図８Ｃ、図８Ｄに示したように、所定長さの下辺１４ａと、この下辺の両端から上方へ所定高さ延びる左右側辺１４ｂ、１４ｃと、及び上辺１４ｄとを有し、下辺１４ａが、その端縁部分を、該下辺に沿って、所定高さで突起させた突起部１５で形成されている。
【００７３】
また、これらの第１、第２のばね弾性プレート１３Ｃ、１４Ｃも、比較例の変形例の第１、第２のばね弾性プレート１３’、１４’のように、湾曲させてもよい。図９に示した実施形態３の変形例の第１、第２のばね弾性プレート１３Ｃ’、１４Ｃ’は、いずれも所定の方向、すなわち、衣服被着時に胸側へ当接する方向に所定の湾曲度（カーブ）で湾曲させた形状にしたものである。この構成によれば、実施形態２のポケットが有する特徴を備え、且つ実施形態２のポケットと同様の効果を奏する。
【符号の説明】
【００７４】
１０                    衣服
１１                    衣服布（本体布）
１２、１２Ａ〜１２Ｃ    ポケット
１２ａ                  底辺部
１２ｂ、１２ｃ          側辺部
１２ｄ                  上辺部
１２ｄ１                  折返し部
１２ｄ２                  折返し片
１２１                    ポケット口
１２２                    内部空間
１３、１３Ａ〜１３Ｃ、１３’、１３Ａ’〜１３Ｃ’  第１のばね弾性プレート
１４、１４Ａ〜１４Ｃ、１４Ａ’〜１４Ｃ’          第２のばね弾性プレート
１５                      突起部
【要約】
【課題】既存のデザインを維持しパーツ数及び加工費を最小に抑え、収納乃至取り出しが簡単・容易で内部の小間物が滑り乃至飛出しを抑制乃至防止できるポケットを提供する。
【解決手段】所定の形状及び大きさのポケット布１２０を本体布１１の表面に当接し、前記ポケット布の底辺部及び該底辺部の両端か上方へ延びる両側辺部をそれぞれ縫製し、上方辺部を開放させたポケット口１２１を備え、該ポケット口は、上辺部を所定長さ部分空間内側へ折返し、該折返し片１２ｄ１との間に第１のばね弾性プレート１３を介在させ少なくとも垂下辺部を縫製し、一方、衣服布表面には第１のばね弾性プレート１３と対向する領域に第２のばね弾性プレート１４を固定し、第１と第２の弾性プレートとを対峙させて両ばねの弾性によりポケット口１２１が塞がれている。
【選択図】図２【図１】
0006827142.tif 000002
【図２】
0006827142.tif 000003
【図３】
0006827142.tif 000004
【図４】
0006827142.tif 000005
【図５】
0006827142.tif 000006
【図６】
0006827142.tif 000007
【図７】
0006827142.tif 000008
【図８】
0006827142.tif 000009
【図９】
0006827142.tif 000010